(57)【要約】【課題】装着の手間が軽減され、装着ミスを起こし難い吸収性物品を提供すること。【解決手段】下着のクロッチ部に取り付けて使用され、平面視で方向性のない円形又は六角形以上の正多角形形状である吸収性物品１を提供する。吸収性物品１は、好ましくは、肌当接面２、非肌当接面３及びこれらの間に介在する吸収層４を具備しており、該肌当接面２に圧搾溝５が複数形成されている。吸収性物品１は、好ましくは、肌当接面２の中央部に、複数の圧搾溝５，５・・・に囲まれた領域を有している。吸収性物品１は、好ましくは、非肌当接面３の周縁部及び中央部に、該吸収性物品１をクロッチ部に固定する粘着部６が形成されている。吸収性物品１は、好ましくは、該吸収性物品１の平面視における中心Ｃを通って該吸収性物品１を横断する横断線の長さが、クロッチ部の幅よりも長い。【選択図】図１
2008220616.tif 000002
【特許請求の範囲】
【請求項１】
下着のクロッチ部に取り付けて使用され、平面視で方向性のない円形又は六角形以上の正多角形形状である吸収性物品。
【請求項２】
前記吸収性物品は、肌当接面、非肌当接面及びこれらの間に介在する吸収層を具備しており、該肌当接面に圧搾溝が複数形成されている請求項１記載の吸収性物品。
【請求項３】
前記肌当接面の中央部に、複数の前記圧搾溝に囲まれた領域を有している請求項２記載の吸収性物品。
【請求項４】
前記非肌当接面の周縁部及び中央部に、前記吸収性物品を前記クロッチ部に固定する粘着部が形成されている請求項２又は３記載の吸収性物品。
【請求項５】
前記吸収性物品の平面視における中心を通って該吸収性物品を横断する横断線の長さが、前記クロッチ部の幅よりも長い請求項１〜４の何れかに記載の吸収性物品。
【発明の詳細な説明】
【技術分野】
【０００１】
本発明は、下着のクロッチ部（股下部）に取り付けて使用される吸収性物品に関する。
【背景技術】
【０００２】
女性の経血やおりもの等の処理には、生理用ナプキンやパンティライナー等が用いられている。従来の生理用ナプキンやパンティライナーとして、縦長の本体の左右両側縁部にウイングを設けたものが知られており、このようなウイング付きの生理用ナプキン等は、ウイングを下着のクロッチ部の外面側に固定して用いられる。また、ウイングのない生理用ナプキンも知られており、例えば特許文献１及び２には、平面視でひし形等の方形の本体を有し、且つ該本体の最大幅がクロッチ部の幅よりも大きい生理用ナプキンが開示されている。
【０００３】
しかし、従来の生理用ナプキン等は、前後左右の方向性を有しており、下着に装着するときの装着形態は、例えば「ナプキンの前側を身体の腹側に向けて装着する」というように１種類しかなく、定められた装着形態以外の形態で装着した場合には本来の性能を充分に発揮できないため、装着時に正確な位置決めを要求されるものであった。このため、従来の生理用ナプキン等は、装着に手間取ることが多く、また、装着ミスを誘発し易いという問題があった。
【０００４】
【特許文献１】登録実用新案第３１１７００１号公報
【特許文献２】実開昭６０−１５５５２３号公報
【発明の開示】
【発明が解決しようとする課題】
【０００５】
従って本発明の目的は、装着の手間が軽減され、装着ミスを起こし難い吸収性物品を提供することにある。
【課題を解決するための手段】
【０００６】
本発明は、下着のクロッチ部に取り付けて使用され、平面視で方向性のない円形又は六角形以上の正多角形形状である吸収性物品を提供することにより、前記目的を達成したものである。
【発明の効果】
【０００７】
本発明の吸収性物品は、その形状（外形）が、平面視で方向性のない円形又は六角形以上の正多角形形状であるため、下着に装着するときの装着形態の自由度が高く、装着の手間が軽減され、装着ミスを起こし難い。
【発明を実施するための最良の形態】
【０００８】
以下、本発明の吸収性物品を、その好ましい実施形態に基づき図面を参照して説明する。
図１及び図２には、本発明の第１実施形態としての生理用ナプキン（以下、ナプキンともいう）が示されている。
【０００９】
第１実施形態のナプキン１は、ショーツ等の下着のクロッチ部に取り付けて使用されるもので、肌当接面を構成する表面シート２、非肌当接面を構成する裏面シート３及びこれらの間に介在する吸収層としての液保持性の吸収体４を具備している。肌当接面は、ナプキン着用時に着用者の肌側に向けられる面であり、非肌当接面は、ナプキン着用時に下着側（着用者の肌側とは反対側）に向けられる面である。
【００１０】
ナプキン１の形状（外形）は、平面視で方向性のない円形又は六角形以上の正多角形形状である。第１実施形態のナプキン１の平面視での形状は、図１及び図２に示すように、平面視で方向性のない円形である。ここで、方向性のない形状（円形又は六角形以上の正多角形形状）とは、当該形状をその平面視における中心（図１中、Ｃで示す点）を回転中心として回転角度６０°以下で一方向へ回転させたとき、その回転中に、回転前と回転後とで形状が変わらない場合が１回以上ある形状を意味する。従って、平面視で方向性のない形状には、円形の他に、六角形以上の正多角形形状が含まれる。ナプキン１は、このように定義される「方向性のない形状」を有していることにより、装着形態の自由度が高く、従来のナプキンのように、下着への装着時にナプキンの身体に対する方向性を認識して装着する必要がなく、クロッチ部の肌当接面上に固定しさえすれば使用可能である。従って、ナプキン１の装着時においては、例えば従来の縦長矩形形状のナプキンの装着時のように、ナプキンの方向を確認し且つ定められた１種類の装着形態の通りに正確に装着する作業が不要であり、誰でも簡単に且つ装着ミスを起こさずに装着することができる。
【００１１】
ナプキン１は、その構成部材である表面シート２、裏面シート３及び吸収体４の何れもが、平面視で方向性のない円形（方向性のない形状）である。表面シート２及び裏面シート３はそれぞれ、吸収体４よりもその最大幅（直径）が大きく形成されている。ナプキン１の周縁部においては、吸収体４の周縁から外方に延出した表面シート２と裏面シート３とが、ヒートシールや接着剤を介して接合されている。
【００１２】
ナプキン１の肌当接面を構成する表面シート２の外表面には、圧搾溝５が複数形成されている。第１実施形態においては、ナプキン１の周縁上の一点から中心Ｃを通らずに該周縁上の他の一点に延びる、連続した直線形状の圧搾溝５が８本形成されている。肌当接面に圧搾溝５が複数形成されていると、圧搾溝５が形成されていない場合に比してナプキン１を折り曲げ易くなるため、ナプキン１を下着に巻き付け易くなり、装着作業が一層容易になる。また、肌当接面に圧搾溝５が複数形成されていることにより、肌当接面を流れた体液あるいは肌当接面の下方に滲んだ体液の液拡散を効果的に抑制することが可能となり、より一層の液漏れ防止を図ることができる。圧搾溝５は、公知のエンボス加工によって形成することができる。
【００１３】
第１実施形態においては、複数の圧搾溝５，５・・・は、ナプキン１の平面視における中心Ｃを通る仮想線Ｌ１を挟んで左右対称位置に形成されていると共に、該中心Ｃを通り且つ該仮想線Ｌ１と直交する仮想線Ｌ２を挟んで左右対称位置に形成されている。このように複数の圧搾溝５，５・・・が、ナプキン１の中心Ｃを通り且つ互いに直交する２本の仮想線Ｌ１、Ｌ２それぞれを挟んで左右対称位置に形成されていることにより、ナプキン１を下着のクロッチ部に対してどのような方向で装着しても、上述した圧搾溝による効果（ナプキンが折り曲げ易くなる、液漏れを防止する）が安定して得られるようになる。
【００１４】
圧搾溝５による上述した効果を確実に奏させる観点から、圧搾溝５の幅は、好ましくは１．５〜５ｍｍ、更に好ましくは２〜３ｍｍであり、圧搾溝５の深さは、好ましくは０．３〜５ｍｍ、更に好ましくは０．５〜２ｍｍである。また、圧搾溝５の深さ（Ｄ）の、該圧搾溝５の形成されていない部分のナプキン１の厚さＴ０に対する比（Ｄ／Ｔ０）は、好ましくは０．１５〜０．５、更に好ましくは０．２〜０．３である。
【００１５】
ナプキン１の肌当接面（表面シート２の外表面）の中央部には、複数の圧搾溝５，５・・・に囲まれた領域（図１中、斜線を付した部分）が形成されている。該領域は、該肌当接面に形成されている全ての圧搾溝５（第１実施形態では８本の圧搾溝）によって囲まれている。該領域の中心Ｃは、ナプキン１の平面視における中心であると共に、ナプキン１の着用時に着用者の排泄部が位置する部位（排泄ポイント）でもある。このように、ナプキン１の肌当接面の中央部における排泄ポイント（中心Ｃ）が位置する領域が、複数の圧搾溝５，５・・・に囲まれていることにより、体液の拡散がより効果的に防止され、より一層の液漏れ防止を図ることができる。
【００１６】
ナプキン１の非肌当接面を構成する裏面シート３の外表面の周縁部及び中央部には、該ナプキン１を下着のクロッチ部に固定する粘着部６が形成されている。周縁部の粘着部６と中央部の粘着部６とは繋がっておらず、それぞれ独立して形成されている。このようにナプキン１の周縁部及び中央部それぞれに互いに独立した粘着部６を形成する場合、周縁部に形成される粘着部６の幅は、好ましくは５〜２０ｍｍ、更に好ましくは１０〜１５ｍｍであり、その形成位置は、ナプキン１の周縁から３〜１５ｍｍ、特に５〜１０ｍｍの範囲に亘る領域であることが好ましい。一方、中央部に形成される粘着部６は、ナプキン１の平面視における中心Ｃを中心とした領域に形成され、その面積は、ナプキン１の非肌当接面の全面積に対して、好ましくは２０〜４５％、更に好ましくは２５〜３５％である。
【００１７】
粘着部６は、ナプキン１の使用前においては、図示しない剥離シートによって被覆されている。該剥離シートは、粘着部６に対して剥離可能に接着し、ナプキン１の使用時に剥離されるもので、通常、ナプキン１よりも大きく形成されており、使用前のナプキン１の非肌当接面の全面を被覆する。該剥離シートとしては、ポリエチレン、ポリプロピレン、ポリビニルアルコール等の樹脂からなるフィルム、不織布、紙、ＳＭＳ不織布を基材シートとして片面又は両面に剥離処理を施したもの、あるいはこれらを適宜貼り合わせてなるシート材、基材シートに剥離紙又は剥離フィルムを貼着させたものなどを用いることができる。
【００１８】
肌当接面を構成する表面シート２、非肌当接面を構成する裏面シート３、吸収体４としては、それぞれ当該技術分野において従来用いられている各種のものを特に制限なく用いることができる。表面シート２としては、例えば、不織布や開孔フィルム等の各種液透過性のシート材を用いることができる。裏面シート３は、液不透過性でも液透過性でも良く、例えば、透湿性を有しない樹脂フィルムや、微細孔を有し、透湿性を有する樹脂フィルム、撥水不織布等の不織布、これらと他のシートとのラミネート体等を用いることができる。吸収体４としては、解繊パルプ等の親水性繊維からなる繊維集合体又はこれに高吸収性ポリマーを保持させたもの等を用いることができる。また、粘着部６形成用の粘着剤としては、例えばホットメルト接着剤を用いることができる。
【００１９】
第１実施形態においては、ナプキン１の平面視における中心Ｃを通って該ナプキン１を横断する横断線（仮想線Ｌ１、Ｌ２に相当）が、該ナプキン１が取り付けられる下着のクロッチ部の幅よりも長くなしてある。円形形状の第１実施形態のナプキン１においては、該横断線の長さは該ナプキン１の直径に等しい。該横断線をこのように調整することにより、ナプキン１をクロッチ部上に固定したときに、該クロッチ部の両側縁からナプキン１が延出し、この延出部が、ウイング付きナプキンにおけるウイングのように、クロッチ部の非肌当接面側に折り曲げられることにより、クロッチ部に対する固定手段として機能する。横断線の長さは、クロッチ部の幅に対して好ましくは１．２〜３倍、更に好ましくは１．５〜３倍である。
【００２０】
ナプキン１の厚み（無荷重下での圧搾溝が形成されていない部分の厚み）は、好ましくは１〜１０ｍｍ、更に好ましくは２〜５ｍｍである。
【００２１】
第１実施形態のナプキン１を使用するには、先ず、上述した図示しない剥離シートを引き剥がして、図２に示すように粘着部６を露出させた状態にする。次に、ナプキン１を、露出させた粘着部６が下着のクロッチ部の肌当接面と対向するように該クロッチ部上に載置し、粘着部６を介して該クロッチ部上に固定する。このとき、ナプキン１の平面視における中心Ｃがクロッチ部の幅方向の略中央に位置するように、該ナプキン１を固定する。ナプキン１の肌当接面（表面シート２）における中心Ｃは、ナプキン１の使用時に排泄ポイントとなる。次に、ナプキン１におけるクロッチ部の両側縁から延出した延出部を、それぞれ該両側縁に沿って下方に折り曲げ、粘着部６を介してクロッチ部の非肌当接面に固定する。こうしてナプキン１を下着に装着して使用することができる。
【００２２】
第１実施形態のナプキン１によれば、上述したようにその形状（外形）が平面視で方向性のない円形であるため、装着形態の自由度が高く、平面視で方向性のある形状を有する従来のナプキン（例えば縦長矩形形状のナプキン）に比して、装着の手間が大幅に軽減され、装着ミスを起こさずに下着に装着することができる。従って、このナプキン１は、体の不自由な人などにも安心して使用することができるものである。
【００２３】
更に、第１実施形態のナプキン１は、肌当接面（表面シート２の外表面）に圧搾溝５が複数形成されているため、折り曲げ易く、下着への装着をよりスムーズに行うことができると共に、体液の液拡散をより効果的に抑制することが可能であり、優れた液漏れ（横漏れ）防止性能を有する。この体液の液拡散抑制効果は、ナプキン１の肌当接面の中央部における排泄ポイントが位置する領域（図１中、斜線を付した部分）が、複数の圧搾溝５，５・・・に囲まれていることによって一層高められている。斯かる優れた液漏れ防止性能を有する第１実施形態のナプキン１は、使用する下着の種類を選ばず、ショーツタイプの他、ボクサータイプの下着に好適に使用することができる。
【００２４】
以下、本発明の他の実施形態について説明する。後述する他の実施形態については、上述した第１実施形態のナプキン１と異なる構成部分を主として説明し、同様の構成部分は同一の符号を付して説明を省略する。特に説明しない構成部分は、第１実施形態のナプキン１についての説明が適宜適用される。
【００２５】
図３は、本発明の第２実施形態の肌当接面側を示す平面図である。第２実施形態のナプキン１は、圧搾溝５の形状・形成パターンの点でのみ第１実施形態と異なっており、第２実施形態においては、ナプキン１の周縁上の一点から中心Ｃを通らずに該周縁上の他の一点に延びる、連続した曲線形状の圧搾溝５が８本形成されている。
このような構成を有する第２実施形態によっても、第１実施形態と同様の効果が奏される。特に、第２実施形態は装着時のフィット性の点で優れる。その理由は次の通りである。つまり、下着のクロッチ部は平面視において通常その両側縁が曲線となっているところ、第２実施形態のナプキン１における圧搾溝５は曲線形状であるため、該ナプキン１をクロッチ部上に固定したときに該クロッチ部から延出する延出部を折り曲げる際に、該クロッチ部の曲線形状に合わせて該ナプキン１を折り曲げやすく、このため、良好なフィット性が得られるのである。
【００２６】
図４及び図５は、本発明の第３実施形態を示す図である。第３実施形態のナプキン１は、形状（外形）が正八角形形状である点で、形状が円形である第１実施形態と異なっている。上述したように、六角形以上の正多角形形状は、本発明でいう、「平面視で方向性のない形状」に含まれる。また、第３実施形態のナプキン１における中央部の粘着部６は、正方形形状となっている。このような構成を有する第３実施形態によっても、第１実施形態と同様の効果が奏される。
【００２７】
図６及び図７は、本発明の第４実施形態を示す図である。第４実施形態のナプキン１は、形状（外形）が正十角形形状であり、平面視で方向性のない形状を有している。肌当接面（表面シート２の外表面）には、ナプキン１の周縁上の一点から中心Ｃを通らずに該周縁上の他の一点に延びる、連続した直線形状の圧搾溝５が１０本形成されている。非肌当接面（裏面シート３の外表面）には、ナプキン１の周縁部を除く全面に粘着部６が形成されている。このような構成を有する第４実施形態によっても、第１実施形態と同様の効果が奏される。
【００２８】
以上、本発明をその好ましい実施形態に基づき説明したが、本発明は前記実施形態に制限されない。
例えば、平面視で方向性のない六角形以上の正多角形形状には、その直線状の各辺を曲線状に換えてなる形状も含まれる。図８には、この形状を有するナプキンの一例が示されている。図８に示すナプキン１は、図４及び図５に示す如き正八角形形状において、その直線状の８つの辺それぞれを外方に向けて凸の曲線に換えた形状を有している。尚、図８では、圧搾溝５や粘着部６の図示を省略している。
また、前記各実施形態における圧搾溝５の形成パターンと粘着部６の形成パターンとは、任意に組み合わせることができる。
また、前記実施形態では、本発明の吸収性物品の適用例の一つとして生理用ナプキンを挙げたが、例えばパンティライナー、軽失禁ライナー等にも適用できる。
【図面の簡単な説明】
【００２９】
【図１】本発明の第１実施形態である生理用ナプキンの肌当接面側（表面シート側）を示す平面図である。
【図２】図１に示す生理用ナプキンの非肌当接面側（裏面シート側）を示す平面図である。
【図３】本発明の第２実施形態の図１相当図である。
【図４】本発明の第３実施形態の図１相当図である。
【図５】本発明の第３実施形態の図２相当図である。
【図６】本発明の第４実施形態の図１相当図である。
【図７】本発明の第４実施形態の図２相当図である。
【図８】本発明の他の実施形態の平面図である。
【符号の説明】
【００３０】
１  生理用ナプキン（吸収性物品）
２  表面シート
３  裏面シート
４  吸収体
５  圧搾溝
６  粘着部
Ｃ  生理用ナプキンの平面視における中心（排泄ポイント）
Ｌ１、Ｌ２  仮想線
【図１】
2008220616.tif 000003
【図２】
2008220616.tif 000004
【図３】
2008220616.tif 000005
【図４】
2008220616.tif 000006
【図５】
2008220616.tif 000007
【図６】
2008220616.tif 000008
【図７】
2008220616.tif 000009
【図８】
2008220616.tif 000010